(57)【特許請求の範囲】
【請求項１】
電子時計と、通信装置とを備える通信システムであって、
前記電子時計および前記通信装置の一方は、コイル送信部および光受信部を有する第１通信部を備え、
前記電子時計および前記通信装置の他方は、光送信部およびコイル受信部を有し、前記第１通信部と通信可能な第２通信部を備え、
前記コイル送信部は、送信用コイルと、前記送信用コイルを駆動する駆動回路とを備え、前記送信用コイルを用いた電磁結合による通信により信号を送信し、
前記光受信部は、受光素子と、前記受光素子の出力値を検出する検出回路とを備え、前記受光素子を用いた光による通信により信号を受信し、
前記光送信部は、発光素子と、前記発光素子を駆動する駆動回路とを備え、前記発光素子を用いた光による通信により信号を送信し、
前記コイル受信部は、受信用コイルと、前記受信用コイルの出力値を検出する検出回路とを備え、前記受信用コイルを用いた電磁結合による通信により信号を受信する
ことを特徴とする通信システム。
【請求項２】
送信用コイルおよび前記送信用コイルを駆動する駆動回路を備え、前記送信用コイルを用いた電磁結合による通信により信号を送信するコイル送信部と、
受光素子および前記受光素子の出力値を検出する検出回路を備え、前記受光素子を用いた光による通信により信号を受信する光受信部と、を備える
ことを特徴とする電子時計。
【請求項３】
請求項２に記載の電子時計において、
光を受光して発電する太陽電池を備え、
前記受光素子は、前記太陽電池で構成される
ことを特徴とする電子時計。
【請求項４】
請求項２または請求項３に記載の電子時計において、
被駆動部材を駆動するモーターを備え、
前記送信用コイルは、前記モーターに設けられたモーターコイルで構成される
ことを特徴とする電子時計。
【請求項５】
請求項２または請求項３に記載の電子時計において、
報知用のブザーを備え、
前記送信用コイルは、前記ブザーに設けられたブザーコイルで構成される
ことを特徴とする電子時計。
【請求項６】
請求項２から請求項５のいずれか一項に記載の電子時計において、
前記コイル送信部および前記光受信部を制御して、通信処理を行う時計側通信処理部を備え、
前記時計側通信処理部は、通信処理を行う場合、前記送信用コイルに、信号を送信するためのパルスとは別のパルスが出力されることを規制する
ことを特徴とする電子時計。
【請求項７】
発光素子および前記発光素子を駆動する駆動回路を備え、前記発光素子を用いた光による通信により信号を送信する光送信部と、
受信用コイルおよび前記受信用コイルの出力値を検出する検出回路を備え、前記受信用コイルを用いた電磁結合による通信により信号を受信するコイル受信部と、を備える
ことを特徴とする電子時計。
【請求項８】
請求項２から請求項７のいずれか一項に記載の電子時計において、
前記コイル送信部または前記光送信部を制御して、通信装置に対してデータ信号の取得を要求するデータ要求信号の送信処理を行う時計側送信制御部と、
前記光受信部または前記コイル受信部を制御して、前記通信装置から送信されるデータ信号の受信処理を行う時計側受信制御部と、を備える
ことを特徴とする電子時計。
【請求項９】
請求項２から請求項８のいずれか一項に記載の電子時計において、
信号を記憶する不揮発性メモリーを備え、
前記光受信部または前記コイル受信部で受信された信号は、前記不揮発性メモリーに記憶される
ことを特徴とする電子時計。
【請求項１０】
請求項２から請求項９のいずれか一項に記載の電子時計において、
前記光受信部または前記コイル受信部で受信される信号には、前記電子時計の動作を制御するためのパラメーターの信号が含まれる
ことを特徴とする電子時計。
【請求項１１】
請求項２から請求項１０のいずれか一項に記載の電子時計において、
前記光受信部または前記コイル受信部で受信される信号には、前記電子時計の動作を制御するためのプログラムの信号が含まれる
ことを特徴とする電子時計。
【請求項１２】
請求項２から請求項１１のいずれか一項に記載の電子時計において、
前記光受信部または前記コイル受信部で受信される信号には、タイムゾーン情報または夏時間に係る情報の信号が含まれる
ことを特徴とする電子時計。
【請求項１３】
発光素子および前記発光素子を駆動する駆動回路を備え、前記発光素子を用いた光による通信により信号を送信する光送信部と、
受信用コイルおよび前記受信用コイルの出力値を検出する検出回路を備え、前記受信用コイルを用いた電磁結合による通信により信号を受信するコイル受信部と、を備える
ことを特徴とする通信装置。
【請求項１４】
請求項１３に記載の通信装置において、
電子時計が載置される載置部を備え、
前記受信用コイルは、前記載置部に載置された前記電子時計の裏蓋側に設けられ、
前記発光素子は、前記載置部に載置された前記電子時計のカバーガラス側に設けられる
ことを特徴とする通信装置。
【請求項１５】
請求項１３に記載の通信装置において、
電子時計が載置される載置部を備え、
前記受信用コイルおよび前記発光素子は、前記載置部に載置された前記電子時計のカバーガラス側に設けられる
ことを特徴とする通信装置。
【請求項１６】
送信用コイルおよび前記送信用コイルを駆動する駆動回路を備え、前記送信用コイルを用いた電磁結合による通信により信号を送信するコイル送信部と、
受光素子および前記受光素子の出力値を検出する検出回路を備え、前記受光素子を用いた光による通信により信号を受信する光受信部と、を備える
ことを特徴とする通信装置。
【発明の詳細な説明】
【技術分野】
【０００１】
本発明は、データを処理する通信システム、電子時計および通信装置に関する。
【背景技術】
【０００２】
従来、電子時計には、記憶している制御用データ等を更新するため、外部装置と非接触通信可能に構成されたものがある（例えば、特許文献１参照）。
特許文献１のアナログ電子時計は、モーターコイルを備え、当該モーターコイルを介して確認信号を外部調整装置に送信する。外部調整装置は、コイルを介して確認信号を受信すると、アナログ電子時計の歩度調整を行うための補正データを、コイルを介してアナログ電子時計に送信する。そして、アナログ電子時計は、モーターコイルを介して補正データを受信する。
【先行技術文献】
【特許文献】
【０００３】
【特許文献１】特開２０００−３２１３７８号公報
【発明の概要】
【発明が解決しようとする課題】
【０００４】
特許文献１のアナログ電子時計は、外部調整装置との間で、信号の送信および受信を行うことができるが、外部調整装置との間には、コイルを用いた電磁結合による１つの通信経路しかないため、送信と受信を切り替えて行う必要があった。このため、信号の送信と受信とを繰り返し行うような場合、通信時間が長くなるという問題があった。
【０００５】
本発明の目的は、電子時計と外部装置との間で信号を送受信でき、かつ、通信処理を高速化できる通信システム、電子時計および通信装置を提供することにある。
【課題を解決するための手段】
【０００６】
本発明は、電子時計と、通信装置とを備える通信システムであって、前記電子時計および前記通信装置の一方は、第１通信部を備え、前記電子時計および前記通信装置の他方は、前記第１通信部と通信可能な第２通信部を備え、前記第１通信部は、送信用コイルおよび前記送信用コイルを駆動する駆動回路を備え、前記送信用コイルを用いた電磁結合による通信により信号を送信するコイル送信部と、受光素子および前記受光素子の出力値を検出する検出回路を備え、前記受光素子を用いた光による通信により信号を受信する光受信部と、を備え、前記第２通信部は、発光素子および前記発光素子を駆動する駆動回路を備え、前記発光素子を用いた光による通信により信号を送信する光送信部と、受信用コイルおよび前記受信用コイルの出力値を検出する検出回路を備え、前記受信用コイルを用いた電磁結合による通信により信号を受信するコイル受信部と、を備えることを特徴とする。
【０００７】
本発明によれば、例えば、電子時計が第１通信部を備え、通信装置が第２通信部を備える場合、電子時計のコイル送信部によって送信された信号は、通信装置のコイル受信部によって受信される。また、通信装置の光送信部によって送信された信号は、電子時計の光受信部によって受信される。
また、電子時計が第２通信部を備え、通信装置が第１通信部を備える場合、電子時計の光送信部によって送信された信号は、通信装置の光受信部によって受信される。また、通信装置のコイル送信部によって送信された信号は、電子時計のコイル受信部によって受信される。
本発明によれば、電子時計から通信装置に信号を送信する通信経路と、通信装置から電子時計に信号を送信する通信経路とが、互いに通信方法が異なる２つの経路で構成されるため、電子時計から通信装置へ送信される信号と、通信装置から電子時計に送信される信号とが、干渉することがない。また、１つの通信経路を信号の送信方向を切り替えて使う場合のような切り替え処理を行う必要がないため、電子時計と通信装置との間の通信処理を高速化できる。
【０００８】
本発明の電子時計は、送信用コイルおよび前記送信用コイルを駆動する駆動回路を備え、前記送信用コイルを用いた電磁結合による通信により信号を送信するコイル送信部と、受光素子および前記受光素子の出力値を検出する検出回路を備え、前記受光素子を用いた光による通信により信号を受信する光受信部と、を備えることを特徴とする。
【０００９】
本発明によれば、信号を送信する通信経路と信号を受信する通信経路とが、互いに通信方法が異なる２つの経路で構成されるため、コイル送信部と光受信部とが近接配置されている腕時計のような小型な時計においても、送信する信号と受信する信号が干渉することがない。また、１つの通信経路を送信と受信とで切り替えて使う場合のような切り替え処理を行う必要がないため、通信装置との間の通信処理を高速化できる。
また、送信部は送信用コイルで構成されているため、送信用コイルに例えば電子時計が備えるモーターコイル等を用いることができる。この場合、送信用コイルを別途設ける必要がなく、部品数の増加を抑制できる。
【００１０】
本発明の電子時計において、光を受光して発電する太陽電池を備え、前記受光素子は、前記太陽電池で構成されることが好ましい。
本発明によれば、受光素子を別途設ける必要がなく、部品数の増加を抑制できる。
【００１１】
本発明の電子時計において、被駆動部材を駆動するモーターを備え、前記送信用コイルは、前記モーターに設けられたモーターコイルで構成されることが好ましい。
本発明によれば、送信用コイルを別途設ける必要がなく、部品数の増加を抑制できる。
【００１２】
本発明の電子時計において、報知用のブザーを備え、前記送信用コイルは、前記ブザーに設けられたブザーコイルで構成されることが好ましい。
本発明によれば、送信用コイルを別途設ける必要がなく、部品数の増加を抑制できる。
【００１３】
本発明の電子時計において、前記コイル送信部および前記光受信部を制御して、通信処理を行う時計側通信処理部を備え、前記時計側通信処理部は、通信処理を行う場合、前記送信用コイルに、信号を送信するためのパルスとは別のパルスが出力されることを規制することが好ましい。
【００１４】
例えば、電子時計が時刻を指示する指針を備え、送信用コイルが、前記指針を駆動するモーターのモーターコイルで構成されている場合、時計側通信処理部は、通信処理を行う場合、送信用コイルに、時刻を指示させる運針パルスが出力されることを規制する。
本発明によれば、通信処理時、通信処理とは関係しない信号が、電子時計から送信されることを抑制できるため、通信処理をより確実に行うことができる。
【００１５】
本発明の電子時計は、発光素子および前記発光素子を駆動する駆動回路を備え、前記発光素子を用いた光による通信により信号を送信する光送信部と、受信用コイルおよび前記受信用コイルの出力値を検出する検出回路を備え、前記受信用コイルを用いた電磁結合による通信により信号を受信するコイル受信部と、を備えることを特徴とする。
【００１６】
本発明によれば、信号を送信する通信経路と信号を受信する通信経路とが、互いに通信方法が異なる２つの経路で構成されるため、光送信部とコイル受信部とが近接配置されている腕時計のような小型な時計においても、送信する信号と受信する信号が干渉することがない。また、１つの通信経路を送信と受信とで切り替えて使う場合のような切り替え処理を行う必要がないため、通信装置との間の通信処理を高速化できる。
また、受信部は受信用コイルで構成されているため、受信用コイルに例えば電子時計が備えるモーターコイル等を用いることができる。この場合、受信用コイルを別途設ける必要がなく、部品数の増加を抑制できる。
【００１７】
本発明の電子時計において、前記コイル送信部または前記光送信部を制御して、通信装置に対してデータ信号の取得を要求するデータ要求信号の送信処理を行う時計側送信制御部と、前記光受信部または前記コイル受信部を制御して、前記通信装置から送信されるデータ信号の受信処理を行う時計側受信制御部と、を備えることが好ましい。
【００１８】
本発明によれば、時計側送信制御部は、通信装置に対してデータ要求信号を送信する。通信装置は、当該データ要求信号を受信すると、電子時計に対してデータ信号を送信する。そして、時計側受信制御部は、当該データ信号を受信する。
これにより、通信装置と電子時計との間でデータ信号の送受信タイミングを確実に同期させることができる。このため、電子時計は、通信装置から送信されたデータ信号を確実に受信できる。また、データ要求信号を送信する通信経路と、データ信号を受信する通信経路とが、互いに通信方法が異なる２つの経路で構成されるため、１つの通信経路を送信と受信で切り替えて使う場合のような切り替え処理を行う必要がなく、通信速度を向上できる。
【００１９】
本発明の電子時計において、信号を記憶する不揮発性メモリーを備え、前記光受信部または前記コイル受信部で受信された信号は、前記不揮発性メモリーに記憶されることが好ましい。
本発明によれば、電子時計がリセットされた場合も、不揮発性メモリーに記憶されている信号は消えないため、通信装置から電子時計に同じ信号を再度送信する必要がない。
【００２０】
本発明の電子時計において、前記光受信部または前記コイル受信部で受信される信号には、前記電子時計の動作を制御するためのパラメーターの信号が含まれることが好ましい。
【００２１】
パラメーターは、例えば、歩度情報や、ステップモーターの駆動設定情報等である。
本発明によれば、受信したパラメーターで電子時計が更新されることで、電子時計の運針等の制御を最適化できる。
【００２２】
本発明の電子時計において、前記光受信部または前記コイル受信部で受信される信号には、前記電子時計の動作を制御するためのプログラムの信号が含まれることが好ましい。
本発明によれば、受信したプログラムで電子時計が更新されることで、電子時計の機能を修正したり追加したりできる。
【００２３】
本発明の電子時計において、前記光受信部または前記コイル受信部で受信される信号には、タイムゾーン情報または夏時間に係る情報の信号が含まれることが好ましい。
本発明によれば、受信したタイムゾーン情報または夏時間に係る情報で電子時計が更新されることで、最新のタイムゾーンや夏時間に基づいて時刻を表示できる。
【００２４】
本発明の通信装置は、発光素子および前記発光素子を駆動する駆動回路を備え、前記発光素子を用いた光による通信により信号を送信する光送信部と、受信用コイルおよび前記受信用コイルの出力値を検出する検出回路を備え、前記受信用コイルを用いた電磁結合による通信により信号を受信するコイル受信部と、を備えることを特徴とする。
【００２５】
本発明によれば、信号を送信する通信経路と信号を受信する通信経路とが、互いに通信方法が異なる２つの経路で構成されるため、送信する信号と受信する信号が干渉することがない。また、１つの通信経路を送信と受信とで切り替えて使う場合のような切り替え処理を行う必要がないため、電子時計との間の通信処理を高速化できる。
【００２６】
本発明の通信装置において、電子時計が載置される載置部を備え、前記受信用コイルは、前記載置部に載置された前記電子時計の裏蓋側に設けられ、前記発光素子は、前記載置部に載置された前記電子時計のカバーガラス側に設けられることが好ましい。
【００２７】
ここで、通信装置に載置される電子時計は、送信用コイルを備えたコイル送信部と、受光素子を備えた光受信部を備えている。そして、電子時計は、例えば、裏蓋が載置部に対向するように載置部に載置される。
本発明では、発光素子が電子時計のカバーガラス側に設けられているため、発光素子から出射された光を、カバーガラスを介して電子時計の受光素子に入射させることができる。
また、電子時計では、モーターコイル等の送信用コイルは、カバーガラス側よりも裏蓋側に近い位置に設けられる。このため、受信用コイルが電子時計の裏蓋側に設けられていることで、カバーガラス側に設けられる場合と比べて、受信用コイルを送信用コイルに近づけることができ、電子時計から通信装置に信号をより確実に送信できる。
【００２８】
本発明の通信装置において、電子時計が載置される載置部を備え、前記受信用コイルおよび前記発光素子は、前記載置部に載置された前記電子時計のカバーガラス側に設けられることが好ましい。
【００２９】
電子時計は、例えば、カバーガラスが載置部に対向するように載置部に載置される。
本発明では、発光素子が電子時計のカバーガラス側に設けられているため、発光素子から出射された光を、カバーガラスを介して電子時計の受光素子に入射させることができる。
また、本発明では、受信用コイルは発光素子と同じ電子時計のカバーガラス側に設けられている。これによれば、受信用コイルと発光素子とを載置部に設けることができ、例えば、受信用コイルが載置部に設けられ、発光素子が載置部から伸びるアーム部等に設けられる場合と比べて、通信装置をコンパクトに構成できる。
【００３０】
本発明の通信装置は、送信用コイルおよび前記送信用コイルを駆動する駆動回路を備え、前記送信用コイルを用いた電磁結合による通信により信号を送信するコイル送信部と、受光素子および前記受光素子の出力値を検出する検出回路を備え、前記受光素子を用いた光による通信により信号を受信する光受信部と、を備えることを特徴とする。
【００３１】
本発明によれば、信号を送信する通信経路と信号を受信する通信経路とが、互いに通信方法が異なる２つの経路で構成されるため、送信する信号と受信する信号が干渉することがない。また、１つの通信経路を送信と受信とで切り替えて使う場合のような切り替え処理を行う必要がないため、電子時計との間の通信処理を高速化できる。
【図面の簡単な説明】
【００３２】
【図１】本発明の第１実施形態に係る通信システムを構成する電子時計および通信装置を示す外観図である。
【図２】第１実施形態における通信システムを構成する電子時計および通信装置を示す模式図である。
【図３】第１実施形態における通信システムの動作の概要を示す図である。
【図４】第１実施形態における電子時計の正面図である。
【図５】第１実施形態における電子時計の断面図である。
【図６】第１実施形態における太陽電池の斜視図である。
【図７】第１実施形態における電子時計の回路図である。
【図８】第１実施形態における電子時計の制御ブロック図である。
【図９】第１実施形態におけるＲＡＭのデータ構成を示す図である。
【図１０】第１実施形態におけるEEPROMのデータ構成を示す図である。
【図１１】第１実施形態におけるローカルタイム情報のデータ構成を示す図である。
【図１２】時差情報の変更履歴の一例を示す図である。
【図１３】第１実施形態における通信装置のコイルを示す図である。
【図１４】第１実施形態におけるコイルの磁界を示す図である。
【図１５】第１実施形態における通信装置の発光素子を示す図である。
【図１６】第１実施形態における通信装置の回路図である。
【図１７】第１実施形態における通信装置の制御ブロック図である。
【図１８】第１実施形態における電子時計の通信処理を示すフローチャートである。
【図１９】第１実施形態における通信装置の通信処理を示すフローチャートである。
【図２０】第１実施形態におけるデータ送信時の各信号の出力タイミングを示すタイミングチャートである。
【図２１】本発明の第２実施形態に係る電子時計の通信処理を示すフローチャートである。
【図２２】本発明の第３実施形態に係る電子時計の正面図である。
【図２３】第３実施形態における電子時計の断面図である。
【図２４】第３実施形態における電子時計の回路図である。
【図２５】本発明の変形例の通信装置を示す外観図である。
【図２６】本発明の変形例の通信装置に内蔵されたコイルおよび発光素子を示す図である。
【図２７】本発明の変形例の通信装置に電子時計が載置された状態を示す図である。
【図２８】本発明の変形例の通信装置を示す外観図である。
【図２９】図２８の部分拡大図である。
【図３０】本発明の変形例のコイルの磁界を示す図である。
【図３１】本発明の変形例の通信システムを構成する電子時計および通信装置を示す模式図である。
【図３２】本発明の変形例の電子時計を示す正面図である。
【発明を実施するための形態】
【００３３】
［第１実施形態］
［通信システムの構成］
図１は、本実施形態の通信システム１０を構成する電子時計１および通信装置２を示す外観図である。図２は、通信システム１０を構成する電子時計１および通信装置２を示す模式図である。
図１、図２に示すように、通信システム１０は、電子時計１と、電子時計１との間で信号の送受信が可能な通信装置２とを備えている。
電子時計１は、指針を備えたアナログ式の腕時計である。電子時計１には、詳しくは後述するが、受光素子である太陽電池１３５と、モーターコイル１４３とを備えている。
【００３４】
通信装置２は、ベース部５１と、ベース部５１から上方に延出する本体部５２と、本体部５２から水平方向に延出された台座部５３とを備えている。台座部５３は、本発明の載置部の一例である。さらに、本体部５２の上面５２１にはアーム部５４が設けられ、アーム部５４の先端には照明部５４１が設けられている。
台座部５３には、装置側受信部を構成するコイル５５が内蔵されている。また、照明部５４１には、発光素子５６が内蔵されている。発光素子５６は、ＬＥＤ（Light Emitting Diode）を備えて構成されている。
ここで、電子時計１は、裏蓋側が台座部５３の表面と向き合うように、台座部５３に載置（セット）されている。この際、台座部５３は本体部５２に片持ち支持されているので、電子時計１のバンドが三つ折れバックル形式のように分離できないタイプであっても、電子時計１の裏蓋を台座部５３の表面に載置できる。このため、電子時計１のモーターコイル１４３と、台座部５３に内蔵されたコイル５５とは、近接した位置に配置され、電磁結合による通信が可能とされている。
また、照明部５４１は、発光素子５６から出射された光が、台座部５３に載置された電子時計１の表面に入射し、太陽電池１３５で受光されるように設けられている。
【００３５】
本体部５２の上面５２１には、通信装置２を電子時計１と通信させるためのＡボタン５７１と、発光素子５６を点灯させるためのＢボタン５７２とが設けられている。
Ａボタン５７１が押されると、通信装置２は電子時計との間で通信処理を開始する。
Ｂボタン５７２が押されると、通信装置２は発光素子５６を継続して点灯する。これにより、通信装置２にセットされた電子時計１の太陽電池１３５に継続して光が照射され、電子時計１が備える二次電池が充電される。太陽電池付きの電子時計は、ユーザーによって使用されている際は、太陽光や蛍光灯の光等によって充電されるが、ユーザーが長い間電子時計を使用せずに机の棚などにしまっていると、電子時計に光が当たらず電子時計が充電されないため、電子時計の電池の容量が低下する。ユーザーは、容量が低い場合に電子時計を使用するには、電子時計を光に当てて充電させる必要がある。しかしながら、ユーザーが屋内にいる場合や、曇りや雨の場合は、ユーザーは電子時計をすぐに充電させることができない。このような場合に、通信装置２の操作者は、電子時計１を通信装置２にセットして充電を開始させれば、すぐに充電が行われるため、便利である。
通信装置２の操作者は、販売者や修理者を含む電子時計に関するサービスの提供者や、電子時計のユーザー等であってもよい。
【００３６】
なお、図示は省略するが、通信装置２の本体部５２には、ＵＳＢ（Universal Serial Bus）メモリー、ＳＤメモリーカード、ＣＤ（Compact Disc）、ＤＶＤ（Digital Versatile Disk）等の記憶媒体が挿入される挿入口が設けられている。また、本体部５２には、インターネットやＰＣ（Personal Computer）にケーブルを介して接続可能なコネクターも設けられている。
【００３７】
［通信システムの動作の概要］
図３に示すように、通信システム１０では、電子時計１がモーターコイル１４３にパルスを出力すると、モーターコイル１４３に磁界が発生し、通信装置２のコイル５５との間で、電磁結合が起こり、磁界の変化によってコイル５５に電流が流れ、誘導起電圧が発生する。この電磁結合を利用し、電子時計１は、モーターコイル１４３にパルスを出力するか否かで、「１，０（２進数）」の「１」を示す「１」信号、または、「１，０」の「０」を示す「０」信号を送信する。一方、通信装置２は、コイル５５に電圧が発生したか否かを検出することで、「１」信号または「０」信号を受信する。このようにして、通信装置２と電子時計１との間で、電磁結合による通信が行われる。
また、通信装置２が発光素子５６を駆動して点灯すると、電子時計１の太陽電池１３５に光が入射される。この光を利用し、通信装置２は、発光素子５６を点灯するか否かで、「１」信号または「０」信号を送信する。一方、電子時計１は、太陽電池１３５に所定の強さの光が入射されたか否かで発電電圧が変化するため、当該発電電圧を検出することで、「１」信号または「０」信号を受信できる。このようにして、通信装置２と電子時計１との間で、光による通信が行われる。
このため、発光素子５６の光以外の光が、電子時計１に照射されると、電子時計１は信号を正しく受信できないため、通信システム１０は、光を遮る暗箱内に収められて使用されることが好ましい。
【００３８】
［電子時計の構成］
電子時計１は、地球の上空を所定の軌道で周回している複数のＧＰＳ衛星のうち、少なくとも１つのＧＰＳ衛星からの衛星信号を受信して時刻情報を取得し、少なくとも３つのＧＰＳ衛星からの衛星信号を受信して位置情報を算出して取得するように構成されている。
【００３９】
［電子時計の概略構成］
図４は、電子時計１の正面図であり、図５は、電子時計１の概略を示す断面図である。
電子時計１は、図４および図５に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング３５を介して、円盤状の文字板１１が配置されている。
外装ケース３０の側面には、Ａボタン４１と、Ｂボタン４２と、リューズ４３とが設けられている。
【００４０】
電子時計１は、図５に示すように、ケース３１の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング３５と、光透過性の文字板１１と、指針２１，２２，２３，２４，２５，２６，２７，２８と、各指針およびカレンダー車２０を駆動する駆動機構１４０などが備えられている。
【００４１】
ダイヤルリング３５は、平面視においてはリング形状となっており、断面視においてはすり鉢形状となっている。ダイヤルリング３５と、ベゼル３２の内周面とによりドーナツ形状の収納空間が形成されており、この収納空間内には、リング状のアンテナ体１１０が収納されている。
【００４２】
文字板１１は、外装ケース３０の内側で時刻を表示する円形の板材であり、プラスチックなどの光透過性の材料で形成され、カバーガラス３３との間に各指針を備え、ダイヤルリング３５の内側に配置されている。
文字板１１と、駆動機構１４０が取り付けられている地板１２５との間には、光発電を行う太陽電池１３５が備えられている。
図６は、太陽電池１３５を表面側から見た斜視図である。太陽電池１３５は、光エネルギーを電気エネルギー（電力）に変換する８個のソーラーセル（光発電素子）１３５Ａを直列接続した円形の平板である。太陽電池１３５は、文字板１１と略同一のサイズで形成されている。
【００４３】
文字板１１、太陽電池１３５および地板１２５には、指針２１，２２，２３の指針軸２９と、指針２４，２５，２６，２７，２８の図示しない指針軸とが貫通する穴が形成されているとともに、カレンダー小窓１５の開口部が形成されている。
【００４４】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸を回転させることにより各指針を駆動する。
駆動機構１４０は、具体的には、第１〜第６駆動機構を備える。第１駆動機構は指針２２および指針２３を駆動し、第２駆動機構は指針２１を駆動し、第３駆動機構は指針２４を駆動し、第４駆動機構は指針２５を駆動し、第５駆動機構は指針２６，２７，２８を駆動し、第６駆動機構はカレンダー車２０を駆動する。
【００４５】
回路基板１２０は、ＧＰＳ受信装置４００、制御装置１００、記憶装置２００を備えている。また、この回路基板１２０とアンテナ体１１０とは、アンテナ接続ピン１１５を用い接続されている。ＧＰＳ受信装置４００、制御装置１００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、太陽電池１３５が発電した電力で充電される。
【００４６】
［電子時計の表示機構］
指針２１，２２，２３は、文字板１１の平面中心に、文字板１１の表裏方向に沿って設けられた指針軸２９に取り付けられている。なお、指針軸２９は、各指針２１，２２，２３が取り付けられる３つの指針軸（回転軸）で構成されている。
文字板１１の外周部を囲むダイヤルリング３５の内周側には、図４に示すように、内周を６０分割にする目盛が表記されている。この目盛を用いて、指針２１は第１時刻（ローカルタイム：例えば外国にいる場合の現地時刻）の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング３５には、１２分位置にアルファベットの「Ｙ」と、１８分位置にアルファベットの「Ｎ」の英字が表記されている。指針２１は、「Ｙ」および「Ｎ」のいずれか一方を指示し、衛星信号の受信結果を表示する。
指針２４は、文字板１１の平面中心から２時方向の位置に設けられている指針軸に取り付けられ、曜日を表示する。
【００４７】
指針２５は、文字板１１の平面中心から１０時方向の位置に設けられている指針軸に取り付けられている。
指針２５の回転領域の外周には、「ＤＳＴ」の英字と「○」の記号が表記されている。ＤＳＴ（daylight saving time）は夏時間を意味する。指針２５は、これらの英字と記号を指示することで、夏時間（ＤＳＴ：夏時間ＯＮ、○：夏時間ＯＦＦ）の設定を表示する。
また、指針２５の回転領域の外周には、円周に沿って三日月鎌状の記号１２が表記されている。この記号１２は二次電池１３０（図５参照）のパワーインジケーターであり、電池残量に応じた位置を指針２５が指示することで電池残量が表示される。
また、指針２５の回転領域の外周には、飛行機形状の記号１３が表記されている。この記号は、機内モードを表す。指針２５は、記号１３を指示することで、機内モードに設定され、受信が行われないことを表示する。
また、指針２５の回転領域の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
【００４８】
指針２６、指針２７は、文字板１１の平面中心から６時方向の同じ位置に設けられている指針軸に取り付けられている。指針２６は、第２時刻（ホームタイム：例えば外国にいる場合の日本の時刻）の「分」を表示し、指針２７は、第２時刻の「時」を表示する。
指針２８は、文字板１１の平面中心から４時方向の位置に設けられている指針軸に取り付けられている。指針２８は、第２時刻の午前および午後を表示する。
カレンダー小窓１５は、文字板１１を矩形状に開口した開口部に設けられており、開口部からカレンダー車２０に印刷された数字が視認可能となっている。カレンダー車２０は、開口部から数字を視認させることで、第１時刻に対応した年月日の「日」を表示する。
【００４９】
ダイヤルリング３５には、内周側の目盛に沿って、協定世界時（ＵＴＣ）との時差を表す時差情報３７が、数字と数字以外の記号とで表記されている。
また、ダイヤルリング３５の周囲に設けられているベゼル３２には、ダイヤルリング３５に表記されている時差情報３７の時差に対応した標準時を使用しているタイムゾーンの代表都市名を表す都市情報３６が、時差情報３７に併記されている。
【００５０】
［電子時計の回路構成］
図７は、電子時計１の回路図である。
電子時計１は、図７に示すように、ＣＰＵ（中央処理装置：Central Processing Unit）で構成される制御回路３００、ＧＰＳ受信装置４００、記憶装置２００、電源となる充電可能な二次電池１３０、太陽電池１３５、ダイオード１３１、充電制御用スイッチ１３２、電圧検出回路１３３、モーターコイル１４３、駆動回路１４２を備えている。なお、二次電池１３０は、太陽電池１３５から供給される電流によって充電される。
ＧＰＳ受信装置４００、記憶装置２００、充電制御用スイッチ１３２、電圧検出回路１３３、駆動回路１４２は、制御回路３００に接続されている。
ここで、制御回路３００、ダイオード１３１、充電制御用スイッチ１３２、電圧検出回路１３３、駆動回路１４２は、制御装置１００を構成している。
【００５１】
［ダイオード］
ダイオード１３１は、太陽電池１３５と二次電池１３０とを電気的に接続する経路に設けられ、太陽電池１３５から二次電池１３０への電流（順方向電流）を遮断せずに、二次電池１３０から太陽電池１３５への電流（逆方向電流）を遮断する。なお、順方向電流が流れるのは、二次電池１３０の電圧よりも太陽電池１３５の電圧が高い場合、すなわち充電時に限られる。ダイオード１３１は、太陽電池１３５の電圧が二次電池１３０よりも低くなった場合は、二次電池１３０から太陽電池１３５に電流が流れることを防止する。また、ダイオード１３１に代えて電界効果トランジスター（ＦＥＴ:Field effect transistor）を採用してもよい。
【００５２】
［充電制御用スイッチ］
充電制御用スイッチ１３２は、太陽電池１３５から二次電池１３０への電流の経路を接続および切断するものであり、太陽電池１３５と二次電池１３０とを電気的に接続する経路に設けられたスイッチング素子を備えている。スイッチング素子がオフ状態からオン状態に遷移すると接続し、スイッチング素子がオン状態からオフ状態へ遷移すると切断する。
【００５３】
［電圧検出回路］
電圧検出回路１３３は、電圧の検出タイミングを指定する制御信号に基づいて作動し、充電制御用スイッチ１３２がオフとされた期間において太陽電池１３５の端子電圧ＰＶＩＮ、すなわち太陽電池１３５の出力電圧を検出する。そして、検出電圧を予め設定された電圧閾値と比較し、検出電圧が電圧閾値よりも高い場合には、「１」信号を受信し、検出電圧が電圧閾値以下の場合には、「０」信号を受信する。そして、受信した信号を制御回路３００に出力する。
【００５４】
［駆動回路］
駆動回路１４２は、駆動機構１４０が備えるステップモーターのモーターコイル１４３の端子Ｍ１，Ｍ２に接続されている。そして、制御回路３００によって制御され、モーターコイル１４３にパルスを出力し、駆動機構１４０を駆動させ、各指針を運針させる。また、駆動回路１４２は、後述する通信モードが設定された場合、モーターコイル１４３へ出力するパルスを制御することで、モーターコイル１４３が発生する磁界を利用して信号を送信する。
【００５５】
［電子時計の機能］
図８は、電子時計１の制御ブロック図である。
制御回路３００には、図８に示すように、ＧＰＳ受信装置４００、記憶装置２００、計時装置１５０、入力装置１６０、時計側受信部１７０、時計側送信部１８０が接続されている。ここで、時計側受信部１７０は、電圧検出回路１３３および受光素子としての太陽電池１３５を備えて構成され、時計側送信部１８０は、駆動回路１４２およびモーターコイル１４３（本発明の送信用コイルの一例）を備えて構成される。ここで、時計側受信部１７０は、本発明の光受信部の一例であり、時計側送信部１８０は、本発明のコイル送信部の一例である。そして、時計側受信部１７０および時計側送信部１８０は、本発明の第１通信部の一例である。
【００５６】
［ＧＰＳ受信装置］
ＧＰＳ受信装置４００は、アンテナ体１１０に接続され、アンテナ体１１０を介して受信した衛星信号を処理してＧＰＳ時刻情報や位置情報を取得する。アンテナ体１１０は、ＧＰＳ衛星から送信され、図５に示すカバーガラス３３とダイヤルリング３５とを通過した衛星信号の電波を受信する。
そして、ＧＰＳ受信装置４００は、図示を略すが、通常のＧＰＳ装置と同様に、ＧＰＳ衛星から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段とを備えている。
【００５７】
［入力装置］
入力装置１６０は、図４に示すリューズ４３、Ａボタン４１、Ｂボタン４２を備えて構成され、各ボタン４１，４２の押し離しや、リューズ４３の引き出し、押し込みに基づいて、各種処理の実行を指示する操作を検出し、検出した操作に応じた操作信号を制御回路３００に出力する。
【００５８】
［計時装置］
計時装置１５０は、二次電池１３０に蓄積された電力で駆動される水晶振動子等を備え、水晶振動子の発振信号に基づく基準信号を用いて時刻データを更新する。
【００５９】
［記憶装置］
記憶装置２００は、ＲＡＭ（Random Access Memory）２１０および不揮発性メモリーとしてのEEPROM（Electronically Erasable and Programmable Read Only Memory）２２０を備えている。不揮発性メモリーであれば、他の種類であるフラッシュメモリーなどであってもよい。
【００６０】
［ＲＡＭのデータ］
ＲＡＭ２１０は、図９に示すように、受信時刻データ２１１と、閏秒更新データ２１２と、内部時刻データ２１３と、第１表示用時刻データ２１４と、第２表示用時刻データ２１５と、第１時差データ２１６と、第２時差データ２１７とが記憶される。
【００６１】
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報が記憶される。
閏秒更新データ２１２には、現在の閏秒のデータが記憶される。
【００６２】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００６３】
第１表示用時刻データ２１４には、内部時刻データ２１３の内部時刻情報に、第１時差データ２１６の時差情報を加味した時刻情報が記憶される。第１時差データ２１６は、ユーザーが手動で選択した場合や測位モードで受信した場合に得られる時差情報で設定される。ここで、第１表示用時刻データ２１４の時刻情報は、指針２１，２２，２３によって表示される第１時刻に相当する。
第２表示用時刻データ２１５には、内部時刻データ２１３の内部時刻情報に、第２時差データ２１７の時差情報を加味した時刻情報が記憶される。第２時差データ２１７は、ユーザーが手動で選択した場合に得られる時差情報で設定される。ここで、第２表示用時刻データ２１５の時刻情報は、指針２６，２７，２８によって表示される第２時刻に相当する。
【００６４】
［EEPROMのデータ］
図１０は、EEPROM２２０に記憶されたデータの構成の一例を示す図である。
EEPROM２２０は、制御回路３００で実行するプログラムや、プログラムの実行時に用いられるデータを記憶している。より具体的には、EEPROM２２０は、図１０に示すように、電子時計１を駆動させるためのシステム設定情報２２１や受信設定情報２２２の他、後述するローカルタイム情報２３０や、ローカルタイム情報２３０のバージョン（版）を示すバージョン情報２２３が、所定のアドレスにそれぞれ記憶されている。
EEPROM２２０は書き換え可能であるため、システム設定情報２２１、受信設定情報２２２、ローカルタイム情報２３０、バージョン情報２２３は更新可能とされている。
【００６５】
システム設定情報２２１は、制御回路３００で実行するプログラムや、例えば、歩度情報やステップモーターの駆動設定情報等のパラメーターや、少なくとも現在の閏秒を含む閏秒情報等である。
受信設定情報２２２は、ＧＰＳ受信装置４００の受信処理における、衛星信号の自動受信間隔や、衛星信号を捕捉できない場合などに受信処理を終了するまでのタイムアウト時間等のパラメーターである。
【００６６】
［ローカルタイム情報］
図１１は、ローカルタイム情報２３０のデータ構成の一例を示す図である。
EEPROM２２０に記憶されたローカルタイム情報２３０は、位置情報である領域情報２３１と、時差情報２３２とが対応付けられている。このため、制御回路３００は、測位モードで位置情報を取得した場合、その位置情報（緯度、経度）に基づいて時差情報を取得できるようにされている。
この時差情報２３２は、領域情報２３１として記憶された各領域において、ＵＴＣに対する時差を取得するための情報であり、タイムゾーン情報２３２１と、タイムゾーン変更情報２３２２と、ＤＳＴオフセット情報２３２３と、ＤＳＴ開始情報２３２４と、ＤＳＴ終了情報２３２５と、ＤＳＴ変更情報２３２６とを含む。
【００６７】
領域情報２３１は、地理情報を複数の領域に分割した際の各領域を示す情報である。各領域は、例えば、東西および南北方向の各長さが１０００〜２０００ｋｍ程度の矩形形状の領域である。なお、地理情報とは、タイムゾーンを有する地図情報である。領域情報２３１としては、各領域を特定するための座標データが記憶されている。すなわち、矩形形状の領域であれば、例えば、左上の座標（経度、緯度）と、領域の右下の座標（経度、緯度）とで領域を特定できるため、これらの２点の座標が記憶されている。
【００６８】
タイムゾーン情報２３２１は、各領域におけるＵＴＣに対するタイムゾーンを示す。
タイムゾーン変更情報２３２２は、タームゾーンの変更予定を示す情報であり、各領域においてタイムゾーンが変更される日時や、タイムゾーン変更後のＵＴＣに対する時差を示す。例えば、図１１に示すように、領域２では、２０１４年１０月２６日の午前２時以降に、ＵＴＣに対する時差が＋８時間から＋９時間に変更されることを示している。
【００６９】
ＤＳＴオフセット情報２３２３は、各領域における夏時間（サマータイム）のオフセット値を示す。
ＤＳＴ開始情報２３２４は、各領域における夏時間の開始時期を示し、ＤＳＴ終了情報２３２５は、各領域における夏時間の終了時期を示す。
ＤＳＴ変更情報２３２６は、ＤＳＴの変更予定を示す情報であり、各領域における夏時間の設定が変更される日時や、変更後のオフセット値等を示す。
例えば、図１１に示すように、領域３では、３月最終日曜から１０月最終日曜の期間においてＤＳＴのオフセット値を＋１とし、２０１５年以降ではＤＳＴのオフセット値を０とすることを示している。
【００７０】
ここで、図１２は、時差情報の変更履歴の一例を示す図である。
図１２に示すように、時差情報であるタイムゾーン情報や夏時間に係る情報が変更されると、当該変更に応じて、新たなローカルタイム情報が作成される。そして、作成されたローカルタイム情報に対して、新たなバージョン情報が付与される。このバージョン情報は、例えば、ローカルタイム情報のバージョンを、数値や文字や記号等に対応させて表示させるための情報である。なお、ローカルタイム情報は、タイムゾーンや夏時間が変更される毎に新たに作成されてもよいし、所定期間が経過した場合や、所定のタイムゾーンに係る変更があった場合等の、所定の取り決めに応じて新たに作成されてもよい。
このように、タイムゾーンや夏時間の変更に応じて、ローカルタイム情報を適宜更新することにより、各領域において、ＵＴＣに対する時差をより正確に取得することができる。
また、EEPROM２２０に記憶されているローカルタイム情報２３０に付与されたバージョン情報２２３を参照することで、当該ローカルタイム情報２３０が、最新のローカルタイム情報と同一のバージョン、すなわち最新バージョンか否かを容易に判別できる。
さらに、バージョン情報２２３に基づいて、最終更新時期や更新内容等を知ることができる。
【００７１】
このようなシステム設定情報２２１、受信設定情報２２２、ローカルタイム情報２３０、バージョン情報２２３は、製造時や出荷時にEEPROM２２０に記憶される。また、これらの情報は、後述するデータ通信処理によって、最新のデータに更新できる。データの更新の際は、EEPROM２２０に含まれる全データを置換してもよいし、変更箇所を含む一部のデータを置換してもよい。
【００７２】
［制御回路］
制御回路３００は、記憶装置２００に格納された各種プログラムを実行することで、図８に示すように、測時部３１０、測位部３２０、時計側通信処理部３４０として機能する。
【００７３】
［測時部］
測時部３１０は、所定間隔で設定された自動受信タイミングに該当した場合や、電子時計１に照射される光量が所定光量以上となり、屋外において電子時計１に日光が照射していると判断できる場合に、自動受信条件に該当したと判断し、ＧＰＳ受信装置４００を作動して測時モードでの受信処理を行う。また、測時部３１０は、Ａボタン４１が３秒以上６秒未満押され、測時モードの強制受信操作が行われると、ＧＰＳ受信装置４００を作動して測時モードでの受信処理を行う。測時モードでの受信処理が行われると、ＧＰＳ受信装置４００は、少なくとも１つのＧＰＳ衛星を捕捉し、そのＧＰＳ衛星から送信される衛星信号を受信して時刻情報を取得する。
【００７４】
［測位部］
測位部３２０は、Ａボタン４１が６秒以上押され、測位モードの強制受信操作が行われると、ＧＰＳ受信装置４００を作動して測位モードでの受信処理を行う。測位モードでの受信処理が行われると、ＧＰＳ受信装置４００は、少なくとも３個、好ましくは４個以上のＧＰＳ衛星を捕捉し、各ＧＰＳ衛星から送信される衛星信号を受信して位置情報を算出して取得する。また、ＧＰＳ受信装置４００は、衛星信号を受信した際に時刻情報も同時に取得できる。
なお、本実施形態では、上記自動受信条件に該当した場合、測時モードでの受信処理が行われるが、測位モードでの受信処理が行われるように選択できるようにしてもよい。
【００７５】
［時計側通信処理部］
時計側通信処理部３４０は、通信装置２から電子時計１にデータ（更新データ）を受信する処理を実行する。時計側通信処理部３４０は、データ要求信号送信制御部３４１、データ信号受信制御部３４２を備える。
データ要求信号送信制御部３４１は、通信装置２に対するデータ要求信号の送信処理を行う。データ信号受信制御部３４２は、通信装置２から送信されるデータ信号の受信処理を行う。データ信号は、通信装置２から送信されるデータ（更新データ）の１ビット毎の信号である。
ここで、データ要求信号送信制御部３４１は、本発明の時計側送信制御部の一例である。データ信号受信制御部３４２は、本発明の時計側受信制御部の一例である。
以上の制御回路３００の各機能部の詳細は、後述する電子時計１の通信処理の説明で詳述する。
【００７６】
［通信装置の構成］
通信装置２には、前述したように、台座部５３を備え、台座部５３には、図１３に示すコイル５５が内蔵されている。
［コイル］
図１３は、通信装置２に内蔵されているコイル５５を示す図である。
コイル５５は、筒状に形成され、外周面に溝５５１Ａが形成されたフェライトコア５５１と、溝５５１Ａに巻回された銅線５５２とを備えている。
巻回された銅線５５２の内周側の磁界が変化すると、変化に比例して誘導起電圧が生じ、レンツの法則にしたがって、磁界の変化を妨げる方向に銅線５５２に誘電電流が流れる。
【００７７】
図１４は、通信装置２に電子時計１がセットされた場合の磁界を示す図である。
図１４に示すように、電子時計１の駆動回路１４２からモーターコイル１４３にパルスが出力されると、磁力が発生して磁力線ＭＬが、通信装置２に内蔵されたコイル５５内を通過する。これにより、コイル５５内の磁界が変化し、銅線５５２に誘電電流が流れる。
【００７８】
［発光素子］
図１５は、通信装置２の照明部５４１に内蔵されている発光素子５６の構成を示す図である。
発光素子５６は、金属やセラミック等で形成された放熱基板５６１と、放熱基板５６１に設けられた１つ以上のＬＥＤ５６２とを備えている。
図１５（Ａ）は、１つのＬＥＤ５６２を備える場合の例であり、放熱基板５６１を表面側（照射側）から見た中央に、１つのＬＥＤ５６２が設けられている。
図１５（Ｂ）は、３つのＬＥＤ５６２を備える場合の例であり、放熱基板５６１を表面側から見て、各ＬＥＤ５６２を結んだ線が正三角形を構成するように、３つのＬＥＤ５６２が設けられている。
図１５（Ｃ）は、多数のＬＥＤ５６２を備える場合の例であり、放熱基板５６１を表面側から見て、放熱基板５６１の中央から放射状に多数のＬＥＤ５６２が設けられている。この場合、広範囲に光を照射できる。
【００７９】
図１６は、通信装置２の回路図であり、図１７は、通信装置２の制御ブロック図である。
通信装置２は、図１６、図１７に示すように、ＣＰＵで構成される制御回路６１、ＲＡＭやEEPROM等の不揮発性メモリー等で構成される記憶装置６２、通信インターフェイス６３、入力装置６４、記憶媒体読取部６５、発光素子駆動回路６６、電圧検出回路６７、コイル５５（受信用コイル）、発光素子５６を備える。
【００８０】
［電圧検出回路］
電圧検出回路６７は、電磁誘導によってコイル５５に電流（パルス）が発生したか否かをコイル５５の誘導起電圧を予め設定された閾値と比較することによって検出する。すなわち、電圧検出回路６７は、閾値以上の電圧を検出した場合には、信号を受信したと判定し、判定結果を制御回路６１に出力する。したがって、図１７に示すように、コイル５５および電圧検出回路６７によって、装置側受信部６８が構成される。ここで、装置側受信部６８は、本発明のコイル受信部の一例である。
【００８１】
［発光素子駆動回路］
発光素子駆動回路６６は、制御回路６１による制御に応じて、発光素子５６の駆動を制御し、発光素子５６を点灯させることで、「１」信号を送信し、発光素子５６を消灯させることで、「０」信号を送信する。したがって、図１７に示すように、発光素子駆動回路６６および発光素子５６によって、装置側送信部６９の一例である。ここで、装置側送信部６９は、本発明の光送信部の一例である。
なお、装置側送信部６９および前述の装置側受信部６８は、本発明の第２通信部の一例である。
【００８２】
［通信インターフェイス］
通信インターフェイス６３は、インターネット等のネットワークと接続可能に構成され、制御回路６１による制御によりネットワークに接続して、ネットワークから更新データを受信する。受信された更新データは制御回路６１によって記憶装置６２に記憶される。
また、通信インターフェイス６３は、ＰＣ等の電子機器とも接続可能に構成され、制御回路６１による制御により電子機器に接続して、電子機器から更新データを受信する。受信された更新データは制御回路６１によって記憶装置６２に記憶される。
【００８３】
［入力装置］
入力装置６４は、Ａボタン５７１およびＢボタン５７２を備え、各ボタン５７１，５７２の押し込み操作に応じた操作信号を、制御回路６１に出力する。
【００８４】
［記憶媒体読取部］
記憶媒体読取部６５は、ＵＳＢ（Universal Serial Bus）メモリー、ＳＤカード、ＣＤ（Compact Disc）、ＤＶＤ（Digital Versatile Disk）等の記憶媒体に記憶されたデータを読取可能に構成されている。記憶媒体読取部６５は、制御回路６１による制御により記憶媒体に接続して、記憶データから更新データを読み取る。読み取られた更新データは制御回路６１によって記憶装置６２に記憶される。
【００８５】
［記憶装置］
記憶装置６２は、図１７に示すように、更新データ記憶部６２２を備えている。
更新データ記憶部６２２には、電子時計１に送信される更新データが記憶されている。更新データは、電子時計１のEEPROM２２０に記憶されるシステム設定情報２２１、受信設定情報２２２、ローカルタイム情報２３０、バージョン情報２２３の一部の情報であってもよいし、すべての情報であってもよい。
【００８６】
［制御回路］
制御回路６１は、記憶装置６２に格納された各種プログラムを実行することで、装置側通信処理部６４０として機能する。
装置側通信処理部６４０は、通信装置２から電子時計１にデータ（更新データ）を送信する処理を実行する。装置側通信処理部６４０は、データ要求信号受信制御部６４１、データ信号送信制御部６４２を備える。
データ要求信号受信制御部６４１は、電子時計１から送信されるデータ要求信号の受信処理を行う。データ信号送信制御部６４２は、電子時計１に対してデータ信号の送信処理を行う。データ信号は、送信するデータ（更新データ）の１ビット毎の信号である。
以上の制御回路６１の各機能部の詳細は、後述する通信装置２の通信処理の説明で詳述する。
【００８７】
［電子時計の通信処理］
図１８は、電子時計１が実行する通信処理を示すフローチャートである。
制御回路３００は、入力装置１６０の通信モード設定操作を検出すると（Ｓ１１）、時計側通信処理部３４０を作動して、電子時計１を通信モードに設定する（Ｓ１２）。
時計側通信処理部３４０は、作動中、時計側送信部１８０の駆動回路１４２を制御して、モーターコイル１４３に、信号を送信するためのパルスとは別のパルスが出力されることを規制する。具体的には、時刻を指示させる運針パルスがモーターコイル１４３に出力されることを規制する。また、時計側通信処理部３４０は、作動中、充電制御用スイッチ１３２をオフ状態に維持する。
時計側通信処理部３４０は、まず、データ要求信号送信制御部３４１を作動させる。データ要求信号送信制御部３４１は、時計側送信部１８０の駆動回路１４２を制御して、モーターコイル１４３に１パルス出力し、つまり、電圧を出力し、データ信号の取得を要求するデータ要求信号を送信する（Ｓ１３）。
時計側通信処理部３４０は、データ要求信号送信制御部３４１がデータ要求信号を送信した後、データ信号受信制御部３４２を作動する。データ信号受信制御部３４２は、時計側受信部１７０の電圧検出回路１３３を制御して、太陽電池１３５の出力電圧を検出して、１ビットのデータを受信する（Ｓ１４）。
データ信号受信制御部３４２は、電圧検出回路１３３で閾値より高い電圧を検出したか否かを判定し（Ｓ１５）、電圧検出回路１３３で閾値より高い電圧を検出した場合（Ｓ１５でＹＥＳ）、「１」信号を受信したと判定し（Ｓ１６）、受信結果を時計側通信処理部３４０に出力する。一方、データ信号受信制御部３４２は、電圧検出回路１３３で閾値以下の電圧を検出した場合（Ｓ１５でＮＯ）、「０」信号を受信したと判定し（Ｓ１７）、受信結果を時計側通信処理部３４０に出力する。また、データ信号受信制御部３４２は、受信した信号を、ＲＡＭ２１０に記憶させる。
【００８８】
時計側通信処理部３４０は、データ信号受信制御部３４２がデータを受信した後、通信装置２から送信される更新データを、すべて受信したか否かを判定する（Ｓ１８）。なお、本実施形態では、更新データのデータサイズ、つまり、ビット数が予め決められているため、時計側通信処理部３４０は、受信したすべてのデータのデータサイズ（ビット数）を計算することで、更新データをすべて受信したか否かを判定できる。そして、時計側通信処理部３４０は、判定結果を制御回路３００に出力する。
【００８９】
制御回路３００は、時計側通信処理部３４０で更新データをすべて受信していないと判定された場合（Ｓ１８でＮＯ）、時計側通信処理部３４０の動作時間が予め設定されたデータ通信処理継続時間を超えているか否か、つまり、タイムアウトになったか否かを判定する（Ｓ１９）。
Ｓ１９でＹＥＳと判定された場合は、データ通信処理に成功できる状態にはないと判定できるため、それ以上電力を消費させないため、制御回路３００は、時計側通信処理部３４０の動作を終了させ、通信モードを終了（解除）する（Ｓ２０）。
一方、Ｓ１９でＮＯと判定された場合、制御回路３００は、処理をＳ１３に戻す。これにより、Ｓ１８でＹＥＳ、または、Ｓ１９でＹＥＳと判定される場合を除いて、Ｓ１３〜Ｓ１９の処理が繰り返し実行される。
【００９０】
制御回路３００は、時計側通信処理部３４０で更新データをすべて受信したと判定された場合（Ｓ１８でＹＥＳ）、受信したデータをEEPROM２２０に書き込む（Ｓ２１）。そして、Ｓ２０で、時計側通信処理部３４０の動作を終了させ、通信モードを終了する。
【００９１】
［通信装置の通信処理］
図１９は、通信装置２が実行する通信処理を示すフローチャートである。
通信装置２の制御回路６１は、電子時計１と通信を行う前に更新したいデータを通信インターフェイス６３あるいは記憶媒体読取部６５を用いて外部から読み込み、記憶装置６２に転送して記憶させておく。
制御回路６１は、Ａボタン５７１が押されて、電子時計１との通信の開始を指示する通信操作が行われたことを検出すると、装置側通信処理部６４０を作動する。
装置側通信処理部６４０は、まず、データ要求信号受信制御部６４１を作動し、データ要求信号受信制御部６４１は、電圧検出回路６７を制御してコイル５５で発生する誘導起電圧が閾値以上であるかを検出し、装置側受信部６８でデータ要求信号を受信したかを判定する（Ｓ３１）。
データ要求信号受信制御部６４１は、Ｓ３１でＹＥＳと判定するまで、データ要求信号の受信判定処理Ｓ３１を継続する。
【００９２】
データ要求信号受信制御部６４１がＳ３１でＹＥＳと判定すると、装置側通信処理部６４０は、データ信号送信制御部６４２を作動し、データ信号送信制御部６４２は、更新データ記憶部６２２に記憶された更新データから１ビットのデータを読み込む（Ｓ３２）。
そして、データ信号送信制御部６４２は、読み込んだ信号が「１」信号か否かを判定する（Ｓ３３）。
Ｓ３３でＹＥＳと判定された場合、データ信号送信制御部６４２は、装置側送信部６９の発光素子駆動回路６６を制御して、発光素子５６のＬＥＤを点灯させ、「１」信号を送信させる（Ｓ３４）。
一方、Ｓ３３でＮＯと判定された場合、データ信号送信制御部６４２は、発光素子駆動回路６６を制御して、発光素子５６のＬＥＤを消灯させ、「０」信号を送信させる（Ｓ３５）。
【００９３】
次に、装置側通信処理部６４０は、更新データをすべて送信したか否かを判定する（Ｓ３６）。Ｓ３６でＮＯと判定された場合、装置側通信処理部６４０は、処理をＳ３１に戻す。そして、装置側通信処理部６４０は、Ｓ３６でＹＥＳと判定するまで、Ｓ３１〜Ｓ３６の処理を繰り返し実行する。
そして、Ｓ３６でＹＥＳと判定されると、制御回路６１は、通常の運針モードに戻る。
【００９４】
次に、更新データ送信時における各信号の出力タイミングについて説明する。
図２０のタイミングチャートでは、時間Ｔ１で電子時計１がモーターコイル１４３にパルスを出力してデータ要求信号を送信すると、通信装置２のコイル５５に電磁結合によってパルスが発生し、通信装置２はデータ要求信号を受信する。このデータ要求信号の受信により、通信装置２は発光素子駆動回路６６を制御して更新データを１ビットずつ送信する。図２０の例では、データ信号として「１」信号を出力するため、データ信号送信制御部６４２は、発光素子駆動回路６６を制御して、発光素子５６を点灯させ、１信号を送信している。
【００９５】
発光素子５６が点灯すると、電子時計１の太陽電池１３５が、発光素子５６から出射された光を受光し、太陽電池１３５の出力電圧が高くなる。
データ信号受信制御部３４２は、電圧検出回路１３３を制御して、太陽電池１３５の出力電圧を検出させる。データ信号受信制御部３４２は、一定間隔の電圧検出タイミングで作動パルスを電圧検出回路１３３に送信しており、時間Ｔ２の電圧検出タイミングで入力された作動パルスで電圧検出回路１３３が作動し、太陽電池１３５の出力電圧が閾値（例えば１０，０００Ｌｘ）より高い場合、電圧検出回路１３３は「１」信号を出力する。図２０の例では、時間Ｔ２で太陽電池１３５の出力電圧が閾値を超えているため、電圧検出回路１３３は「１」信号を出力する。なお、電圧検出回路１３３の作動パルスの立ち下がりタイミングで、受信信号の判定が確定する。
次に、電子時計１のデータ要求信号送信制御部３４１は、データ要求信号の送信間隔である時間Ｔ３になると、モーターコイル１４３にパルスを出力させ、データ要求信号を送信させる。
このようにして、電子時計１から通信装置２にデータ要求信号が送信される毎に、通信装置２から電子時計１に更新データが１ビットずつ送信される。
なお、通信処理が終了すると、電子時計１の制御回路３００は、モーターコイル１４３に運針パルスを出力し、通信処理の間駆動を停止していた指針を、早送りで移動させ、現在時刻を指示させる。
【００９６】
［第１実施形態の作用効果］
電子時計１から通信装置２に信号を送信する通信経路と、通信装置２から電子時計１に信号を送信する通信経路とが、互いに通信方法が異なる２つの経路で構成されるため、すなわち、双方向（全二重）通信が可能なため、電子時計１から通信装置２へ送信される信号と、通信装置２から電子時計１に送信される信号とが、干渉することがない。また、１つの通信経路を信号の送信方向を切り替えて使う場合（半二重通信）のような切り替え処理を行う必要がなく、また、電子時計１から通信装置２への信号の送信と、通信装置２から電子時計１への信号の送信とを、同時に行うことも可能となり、電子時計１と通信装置２との間の通信処理を高速化できる。
また、各通信経路の通信方法が互いに異なるため、電子時計１において、時計側送信部１８０と時計側受信部１７０とが近接配置されていても、送信する信号と受信する信号が干渉しない。
また、電子時計１は、モーターコイル１４３にパルスを出力するか否かで信号を送信するため、例えば発光素子を点灯または消灯させて信号を送信する場合と比べて、消費電力を低減できる。
【００９７】
電子時計１が備える発電用の太陽電池１３５を用いて、時計側受信部１７０が構成されているため、受光素子を別途設ける必要がなく、部品数の増加や、コストの増大を抑制できる。
【００９８】
電子時計１が備える駆動機構を駆動するモーターコイル１４３を用いて、時計側送信部１８０を構成できるため、コイルを別途設ける必要がなく、部品数の増加や、コストの増大を抑制できる。
【００９９】
時計側通信処理部３４０は、作動中、モーターコイル１４３に信号を送信するためのパルス（送信用パルス）とは別のパルス、例えば、指針に時刻を指示させる運針パルスが出力されることを規制するため、通信処理時、通信処理とは関係しない信号が電子時計１から送信されることを抑制できる。このため、通信処理をより確実に行うことができる。
なお、送信用パルスは、運針パルスよりもエネルギーが小さくてよいため、送信用パルスのパルス幅は、運針パルスよりも狭い。また、指針を運針するには、複数の運針パルスが必要となる。このため、送信用パルスがモーターコイル１４３に出力されても、指針は運針しない。
【０１００】
電子時計１は、データ要求信号を通信装置２に送信する毎に、通信装置２からデータ信号を受信するため、通信装置２と電子時計１との間でデータ信号の送受信タイミングを確実に同期させることができる。このため、電子時計１は、通信装置２から送信されたデータ信号を確実に受信できる。
また、電子時計１が計時などの処理を行っていて、信号の受信処理を実行できない場合は、データ要求信号を送信しないことで、通信装置２からデータ信号が送信されないように制御できる。このため、データ信号の取りこぼしを防止できる。
【０１０１】
データ信号受信制御部３４２は、受信処理で受信した信号を、不揮発性メモリーであるEEPROM２２０に記憶させるため、電子時計１がリセットされた場合も、EEPROM２２０に記憶されている信号は消えないため、通信装置２から電子時計１に同じ信号を再度送信する必要がない。
【０１０２】
例えば、時計に搭載するモーターを変更する場合には、モーターを駆動するモーター駆動パルスの波形も変える必要がある。そこで、このような変更が想定されるパラメーター等は、書き換え可能な不揮発性メモリーに格納する事が一般的になっている。
通信システム１０は、歩度情報、ステップモーターの駆動設定情報、受信処理における衛星信号の自動受信間隔やタイムアウト時間等のパラメーターを更新データとして通信装置２から電子時計１に送信させる。これにより、不揮発性メモリーであるEEPROM２２０に格納された各種パラメーターを書き換えることができる。
【０１０３】
また、不揮発メモリーの大きさが近年大きくなってきており、時計を動作させるためのプログラムの格納も可能になってきている。
通信システム１０は、電子時計１の動作を制御するためのプログラムを更新データとして通信装置２から電子時計１に送信させる。これにより、EEPROM２２０に格納されたプログラムを書き換えることができる。
【０１０４】
また、ＧＰＳ付き時計では、タイムゾーン情報や夏時間に係る情報が格納されているローカルタイム情報を最新のデータにする要望が高まっている。このため、ローカルタイム情報も、書き換え可能な不揮発性メモリーに格納されている。
通信システム１０は、タイムゾーンや夏時間が変更された場合、タイムゾーン情報または夏時間に係る情報を更新データとして通信装置２から電子時計１に送信させる。これにより、EEPROM２２０に格納されたローカルタイム情報を書き換えることができる。
【０１０５】
通信装置２には、発光素子５６とコイル５５とがセットで設けられているため、通信装置２の台座部５３に電子時計１を載置するだけで、通信装置２から電子時計１に信号を送受信することが可能となる。
また、通信装置２の発光素子５６が、通信装置２にセットされた電子時計１のカバーガラス３３側に設けられているため、発光素子５６から出射された光を、カバーガラス３３を介して電子時計１の太陽電池１３５に入射させることができる。
また、通信装置２のコイル５５が電子時計１の裏蓋３４側に設けられていることで、カバーガラス３３側に設けられる場合と比べて、コイル５５を電子時計１のモーターコイル１４３に近づけることができ、電子時計１から通信装置２に信号をより確実に送信できる。
また、通信装置２のＢボタンが押されることで、発光素子５６が継続して点灯するため、電子時計１の二次電池１３０を充電できる。つまり、通信装置２は、電子時計１を充電するための装置としても使用できる。
【０１０６】
通信装置２と電子時計１との間で、非接触通信が行われるため、操作者は、EEPROM２２０のデータを書き換える場合、時計の裏蓋を外して、不揮発性メモリーが実装された基板を時計のケースから取り出す必要がない。このため、操作者が基板をケースから取り出す手間がかからない。また、操作者は、作業中にケース内に入ったゴミやケバを除去する必要もなく、また、裏蓋を付けた後、防水の検査を行う必要もない。
【０１０７】
電子時計１と通信装置２との間のデータ通信は、モーターコイル１４３にパルスを発生させるか否か、または、発光素子５６を点灯させるか否かで行われるため、例えば、信号を変調させることでデータ通信を行う場合と比べて、通信処理を簡単にできる。このため、電子時計１において、通信処理にかかる消費電力を低減できる。
【０１０８】
［第２実施形態］
第２実施形態の電子時計は、通信処理において受信したデータをEEPROM２２０に書き込むタイミングが、第１実施形態の電子時計１とは異なる。その他の構成は、電子時計１と同様である。
図２１は、第２実施形態の電子時計が実行する通信処理を示すフローチャートである。
電子時計は、Ｓ１１〜Ｓ２０，Ｓ２２，Ｓ２３の処理を実行する。Ｓ１１〜Ｓ２０の処理は、第１実施形態と同じため、説明を省略する。
【０１０９】
第２実施形態の通信処理では、Ｓ１６またはＳ１７でデータ信号が受信され、ＲＡＭ２１０に記憶された後、時計側通信処理部３４０は、通信装置２から送信される更新データを１ブロック分受信したか否かを判定する（Ｓ２２）。１ブロックは、EEPROM２２０へのデータの書き込み単位であり、EEPROM２２０の仕様によって予め決められている。例えば、１バイトや１２８バイトなどを例示できる。
Ｓ２２でＮＯと判定された場合、制御回路３００は、処理をＳ１３に戻す。
一方、Ｓ２２でＹＥＳと判定された場合、制御回路３００は、受信された１ブロック分のデータを、EEPROM２２０に書き込む（Ｓ２３）。そして、Ｓ１８で、時計側通信処理部３４０は、更新データをすべて受信したか否かを判定する。そして、Ｓ１８でＹＥＳと判定された場合、Ｓ２０で、制御回路３００は、時計側通信処理部３４０の動作を終了させ、通信モードを終了する。
【０１１０】
［第２実施形態の作用効果］
時計側通信処理部３４０は、EEPROM２２０への書き込み単位である１ブロック分のデータ信号を受信する毎に、ＲＡＭ２１０に記憶されたデータを、EEPROM２２０に書き込む。例えば、更新データをすべて受信してＲＡＭ２１０に記憶してから、EEPROM２２０に書き込む場合、ＲＡＭ２１０に記憶された更新データから、１ブロック分のデータを順次読み出してEEPROM２２０に書き込む必要があるが、本実施形態によれば、そのような読み出し処理が不要となり、ＲＡＭ２１０に記憶されたデータをそのままEEPROM２２０に書き込めばよいので、EEPROM２２０へのデータの書き込み時間を短くでき、かつ、書き込み処理にかかる消費電力を低減できる。
【０１１１】
［第３実施形態］
第３実施形態の電子時計１Ａは、ＧＰＳ衛星から衛星信号を受信する機能を備えていない、太陽電池付きの腕時計である。
図２２は、電子時計１Ａの正面図であり、図２３は、電子時計１Ａの概略を示す断面図である。
電子時計１Ａは、図２２および図２３に示すように、バンド３９Ａが取り付けられたケース３１Ａと、カバーガラス３３Ａと、裏蓋３４Ａとを備えている。ケース３１Ａの側面には、リューズ４３Ａが設けられている。
図２３に示すように、ケース３１Ａの内側には、ダイヤルリング３５Ａと、文字板１１Ａと、指針２１Ａ（秒針），２２Ａ（分針），２３Ａ（時針）と、各指針およびカレンダー車２０Ａを駆動する駆動機構１４０Ａなどが備えられている。
【０１１２】
文字板１１Ａと、駆動機構１４０Ａが取り付けられている地板１２５Ａとの間には、太陽電池１３５Ａが備えられている。文字板１１Ａ、太陽電池１３５Ａおよび地板１２５Ａには、指針２１Ａ，２２Ａ，２３Ａの指針軸２９Ａが貫通する穴が形成されているとともに、カレンダー小窓１５Ａの開口部が形成されている。
【０１１３】
駆動機構１４０Ａは、地板１２５Ａに取り付けられ、回路基板１２０Ａで裏面側から覆われている。駆動機構１４０Ａは、ステップモーターと歯車などの輪列とを有し、当該ステップモーターが当該輪列を介して指針軸を回転させることにより各指針等を駆動する。
駆動機構１４０Ａは、具体的には、第１〜３駆動機構を備える。第１駆動機構は指針２２Ａおよび指針２３Ａを駆動し、第２駆動機構は指針２１Ａを駆動し、第３駆動機構はカレンダー車２０Ａを駆動する。
回路基板１２０Ａは、制御装置１００Ａ、記憶装置２００Ａを備えている。二次電池１３０Ａは、地板１２５Ａと裏蓋３４Ａとの間に設けられている。
【０１１４】
図２４は、電子時計１Ａの回路図である。
電子時計１Ａは、第１実施形態の電子時計１と同様に、制御回路３００Ａ、記憶装置２００Ａ、電源となる充電可能な二次電池１３０Ａ、太陽電池１３５Ａ、ダイオード１３１Ａ、充電制御用スイッチ１３２Ａ、電圧検出回路１３３Ａ、モーターコイル１４３Ａ、駆動回路１４２Ａを備えている。
ここで、制御回路３００Ａ、ダイオード１３１Ａ、充電制御用スイッチ１３２Ａ、電圧検出回路１３３Ａ、駆動回路１４２はＡ、制御装置１００Ａを構成している。
【０１１５】
制御回路３００Ａは、ＧＰＳ衛星から衛星信号を受信する機能や、受信した時刻情報や、受信した衛星信号に基づいて算出した位置情報に基づいて、内部時刻を修正する機能は備えていないが、その他の機能は、第１実施形態の制御回路３００と同様である。すなわち、制御回路３００Ａは、第１実施形態の制御回路３００と同様の時計側通信処理部を備えている。
【０１１６】
電子時計１Ａには、通信装置２から、更新データとして、歩度情報、ステップモーターの駆動設定情報等のパラメーターや、電子時計１Ａの動作を制御するためのプログラム等が送信される。
【０１１７】
このような第３実施形態の通信システムにおいても、第１実施形態と同様の作用効果を得ることができる。
【０１１８】
［他の実施形態］
なお、本発明は前述の実施形態に限定されるものではなく、本発明の目的を達成できる範囲での変形、改良等は本発明に含まれるものである。
図２５は、前記各実施形態の変形例の通信装置２Ａを示す外観図である。図２６は、通信装置２Ａに内蔵された状態のコイル５５Ａおよび発光素子５６Ａを示す図である。
通信装置２Ａは、台座部５８と、台座部５８に内蔵されたコイル５５Ａおよび発光素子５６Ａとを備えている。また、台座部５８の表面には、電源ボタン５７３が設けられている。
台座部５８を表面側から見た中央には、開口５８１が設けられており、開口５８１に発光素子５６Ａが露出している。
図２５および図２６に示すように、発光素子５６Ａは、コイル５５Ａと一体に設けられている。具体的には、コイル５５Ａの巻回された銅線５５２の内周側に、発光素子５６Ａが設けられている。
【０１１９】
操作者が通信装置２Ａに電子時計１をセットする場合、図２７に示すように、電子時計１を、カバーガラス３３側を台座部５８の表面に向けて載置する。このとき、電子時計１は、台座部５８を表面側から見て、電子時計１が発光素子５６と重なるようにして載置される。
通信装置２Ａでは、電子時計１のモーターコイル１４３が発生させる磁力線は、主にカバーガラス３３を介して、通信装置２Ａのコイル５５Ａ内を通る。また、発光素子５６Ａから出射された光は、カバーガラス３３を介して電子時計１の太陽電池１３５に入射される。
これにより、通信装置２Ａと電子時計１との間で、信号を送受信できる。
【０１２０】
図２８は、前記各実施形態の他の変形例の通信装置２Ｂを示す外観図である。図２９は、図２８の部分拡大図である。
通信装置２Ｂは、台座部５８と、台座部５８に内蔵されたコイル５５Ｂと、台座部５８の表面に設けられた発光素子５６Ｂとを備えている。
コイル５５Ｂは、棒状のフェライトコア５５３と、フェライトコア５５３の外周に巻回された銅線５５２とを備えている。
コイル５５Ｂは、台座部５８の開口５８１に露出し、フェライトコア５５３の軸方向が、台座部５８の表面方向に沿うように設けられている。
発光素子５６Ｂは、環状に形成された放熱基板５６１Ｂと、放熱基板５６１Ｂの表面に、外周に沿って設けられた多数のＬＥＤ５６２とを備えている。発光素子５６Ｂは、放熱基板５６１Ｂの内周側に、コイル５５Ｂが位置するように設けられている。
【０１２１】
操作者が通信装置２Ｂに電子時計１をセットする場合、電子時計１を、カバーガラス３３側を台座部５８の表面に向けて載置する。このとき、電子時計１は、台座部５８を表面側から見て、電子時計１がコイル５５Ｂと重なるようにして載置される。
図３０は、通信装置２Ｂに電子時計１がセットされた場合の磁界を示す図である。
図３０に示すように、電子時計１のモーターコイル１４３にパルスが出力されると、磁力が発生して磁力線ＭＬが、通信装置２Ｂのコイル５５Ｂ内を通過する。これにより、銅線５５２に誘導電流が流れ、パルスが発生する。
【０１２２】
通信装置２Ａ，２Ｂでは、発光素子５６Ａ，５６Ｂから出射された光を、カバーガラス３３を介して電子時計１の太陽電池１３５に入射させることができる。
また、コイル５５Ａ，５５Ｂと発光素子５６Ａ，５６Ｂは、台座部５８に設けられているため、例えばコイル５５Ａ，５５Ｂが台座部５８に設けられ、発光素子５６Ａ，５６Ｂが台座部５８から伸びるアーム部等に設けられる場合と比べて、通信装置２Ａ，２Ｂをコンパクトに構成できる。
【０１２３】
前記各実施形態では、電子時計は、モーターコイルにパルスを出力して信号を送信し、太陽電池の出力電圧を検出して信号を受信していたが、本発明はこれに限定されない。
例えば、図３１に示すように、電子時計１Ｃに発光素子１３６を設け、電子時計１Ｃが発光素子１３６を点灯または消灯することで信号を送信し、モーターコイルに発生するパルスを検出することで信号を受信するようにしてもよい。
この場合、通信装置２Ｃは、受光素子５９を備え、当該受光素子５９の出力電圧を検出することで信号を受信し、コイルにパルスを出力することで信号を送信する。
【０１２４】
図３２は、発光素子を備えた電子時計１Ｄを示す正面図である。
電子時計１Ｄは、指針２１Ｄ（秒針），２２Ｄ（分針），２３Ｄ（時針）に加えて、時刻をデジタル表示可能な表示装置４４を備えている。表示装置４４は、液晶表示装置や、ＥＰＤ（Electrophoretic Display）等で構成されている。
そして、表示装置４４の近傍には、照明用のＬＥＤ４５が設けられている。
また、電子時計１Ｄは、報知機能としてブザー機能を備え、ブザーコイル（昇圧コイル）１４４で裏蓋に取り付けたセラミック素子を発振させることで発音する。
また、電子時計１Ｄでは、文字板１１Ｄの外周に、リング状の太陽電池１３５Ｄが設けられている。太陽電池１３５Ｄは、４個のソーラーセルで構成されている。
【０１２５】
電子時計１Ｄは、発光素子である、液晶表示装置のバックライト、または、ＬＥＤ４５を制御して点灯または消灯させることで信号を送信し、ブザーコイル１４４に発生するパルスを検出することで信号を受信できる。
または、電子時計１Ｄは、ブザーコイル１４４にパルス（送信用パルス）を出力することで信号を送信し、太陽電池１３５Ｄの出力電圧を検出することで信号を受信できる。
このように、ブザーコイル１４４を用いて、時計側送信部または時計側受信部を構成できるため、送信用のコイルまたは受信用のコイルを別途設ける必要がなく、部品数の増加を抑制できる。
なお、送信用パルスは、発音用パルスよりもエネルギーが小さくてよいため、送信用パルスのパルス幅や電圧値は、発音用パルスよりも小さい。このため、送信用パルスをブザーコイル１４４に出力しても発音はしない。なお、送信用パルスのパルス幅や電圧値が発音用パルスと同じ場合でも、例えば２０Ｈｚ以下の低周波で送信用パルスをブザーコイル１４４に出力することで、ブザー音が人に聞こえないようにできる。
なお、電子時計１Ｄにおいて、指針２１Ｄ，２２Ｄ，２３Ｄに替えて、液晶表示装置やＥＰＤ等の表示装置４４によって各指針に対応する画像を表示させてもよい。この場合、電子時計１Ｄは、ステップモーターを備えない構成となるが、ブザーコイル１４４を用いて時計側送信部または時計側受信部を構成できる。
【０１２６】
前記各実施形態では、電子時計において、信号を送信するコイルとして、モーターコイルが用いられているが、本発明はこれに限定されない。例えば、前述のブザーコイルや、照明用のＥＬ（Electro-Luminescence）ライトの駆動用のコイル等が用いられてもよい。また、電子時計が長波標準電波を受信するアンテナを備えた電波時計である場合には、当該アンテナのコイルを、信号を送信するコイルに用いてもよい。
【０１２７】
前記各実施形態では、通信装置２のデータ信号送信制御部６４２は、更新データを１ビットずつ電子時計１に対して送信しているが、本発明はこれに限定されない。例えば、更新データを２ビット以上ずつ送信してもよい。この場合、１ビットずつ送信する場合と比べて、データの送信速度を高速にできる。
【０１２８】
前記各実施形態では、データ信号送信制御部６４２は、更新データ記憶部６２２に記憶されている更新データを読み込んでいるが、本発明はこれに限定されない。例えば、データ信号送信制御部６４２は、記憶媒体に記憶されている更新データを、記憶媒体読取部６５を制御して読み込んでもよいし、ＰＣ等の電子機器に記憶された更新データや、ネットワーク上の更新データを、通信インターフェイス６３を制御して読み込んでもよい。
【０１２９】
前記各実施形態では、通信装置２のデータ信号送信制御部６４２は、装置側送信部６９の発光素子駆動回路６６を制御して、発光素子５６を点灯または消灯することで、「１」信号または「０」信号を送信しているが、本発明はこれに限定されない。例えば、発光素子の輝度を調整して、「１」信号または「０」信号を送信するようにしてもよい。
【０１３０】
前記各実施形態では、時計側受信部１７０は、受光素子として太陽電池１３５を備えているが、本発明はこれに限定されない。すなわち、光検出用の受光素子等、太陽電池以外の受光素子を備えていてもよい。
【０１３１】
前記各実施形態では、時計側受信部１７０は、太陽電池１３５の出力電圧を検出することで信号を受信しているが、本発明はこれに限定されない。例えば、太陽電池１３５の出力電流を検出することで信号を受信してもよい。
また、装置側受信部６８は、コイル５５の電圧を検出することで信号を受信しているが、本発明はこれに限定されない。例えば、コイル５５の電流を検出することで信号を受信してもよい。
【０１３２】
前記第１、第２実施形態において、時計側通信処理部３４０は、作動中、測時部３１０および測位部３２０の動作を規制してもよい。これによれば、通信処理中に衛星信号の受信処理が実行されることを規制できるため、通信処理が衛星信号の受信処理の影響を受けることを抑制できる。
【０１３３】
前記各実施形態では、電子時計１に対して通信装置２からデータを送信しているが、本発明はこれに限定されない。例えば、電子時計１の製造過程において、ケースに組み込まれる前のムーブメントに対して、通信装置２からデータを送信することもできる。
これによれば、ムーブメントにデータ書込用の端子を設け、当該端子に専用の治具を接続させるなどしてデータを書き込む必要がないため、端子と治具との位置合わせを行う必要がなく、データの書き込み作業を簡略化でき、製造工程を簡略化できる。
【符号の説明】
【０１３４】
１，１Ａ，１Ｃ，１Ｄ…電子時計、１０…通信システム、１３３，１３３Ａ，６７…電圧検出回路、１３５，１３５Ａ…太陽電池、１３６，５６，５６Ａ，５６Ｂ…発光素子、１４２，１４２Ａ…駆動回路、１４３，１４３Ａ…モーターコイル、１４４…ブザーコイル、１７０…時計側受信部、１８０…時計側送信部、２，２Ａ，２Ｂ，２Ｃ…通信装置、３４０…時計側通信処理部、３４１…データ要求信号送信制御部、３４２…データ信号受信制御部、５３，５８…台座部、５５，５５Ａ，５５Ｂ…コイル、５９…受光素子、６４０…装置側通信処理部、６４１…データ要求信号受信制御部、６４２…データ信号送信制御部、６６…発光素子駆動回路、６８…装置側受信部、６９…装置側送信部。
【図１】
0006547379.tif 000002
【図２】
0006547379.tif 000003
【図３】
0006547379.tif 000004
【図４】
0006547379.tif 000005
【図５】
0006547379.tif 000006
【図６】
0006547379.tif 000007
【図７】
0006547379.tif 000008
【図８】
0006547379.tif 000009
【図９】
0006547379.tif 000010
【図１０】
0006547379.tif 000011
【図１１】
0006547379.tif 000012
【図１２】
0006547379.tif 000013
【図１３】
0006547379.tif 000014
【図１４】
0006547379.tif 000015
【図１５】
0006547379.tif 000016
【図１６】
0006547379.tif 000017
【図１７】
0006547379.tif 000018
【図１８】
0006547379.tif 000019
【図１９】
0006547379.tif 000020
【図２０】
0006547379.tif 000021
【図２１】
0006547379.tif 000022
【図２２】
0006547379.tif 000023
【図２３】
0006547379.tif 000024
【図２４】
0006547379.tif 000025
【図２５】
0006547379.tif 000026
【図２６】
0006547379.tif 000027
【図２７】
0006547379.tif 000028
【図２８】
0006547379.tif 000029
【図２９】
0006547379.tif 000030
【図３０】
0006547379.tif 000031
【図３１】
0006547379.tif 000032
【図３２】
0006547379.tif 000033